(57)【要約】【課題】  簡易な構成により、穿刺針で形成した傷口からの出血を促進することが可能な低床型採血装置を提供する。【解決手段】  採血装置１０は、低床型の採血装置であって、採血を行う部位、例えば足裏等を載せる載置台１４の載置面１４ａに形成された開口部１５の内部に、穿刺針２０ａを備えたランセット２０等を含む採血機構１１を備えている。【選択図】      図４
2005304923.tif 000002
【特許請求の範囲】
【請求項１】
採血を行う部位を載せる載置台と、
前記載置台の載置面に形成された開口部と、
前記開口部の内部に収容されており、前記開口部に載せられた前記採血を行う部位に対して傷口を形成する穿刺針と、
を備えている低床型採血装置。
【請求項２】
前記開口部は、体重をかけて載せられた前記採血を行う部位を鬱血させる、
請求項１に記載の低床型採血装置。
【請求項３】
前記載置台には、前記開口部の外周に沿って突起部が形成されている、
請求項１または２に記載の低床型採血装置。
【請求項４】
前記開口部の中であって前記穿刺針の先端部の近傍に配置されているとともに、前記採血された血液を検出する検出部をさらに備えている、
請求項１から３のいずれか１項に記載の低床型採血装置。
【請求項５】
前記穿刺針を内部に収容した穿刺器具に取り付けられており、前記採血された血液を検出する検出部をさらに備えている、
請求項４に記載の低床型採血装置。
【請求項６】
前記穿刺針を待機位置から穿刺位置まで移動させる発射機構をさらに備えている、
請求項１から５のいずれか１項に記載の低床型採血装置。
【請求項７】
前記開口部上に前記採血を行う部位が載せられると、前記発射機構において待機位置において保持された前記穿刺針の移動を許可する保持解除機構をさらに備えている、
請求項６に記載の低床型採血装置。
【請求項８】
前記穿刺針の前記採血部位に対する穿刺深さを調整する調整機構をさらに備えている、
請求項１から７のいずれか１項に記載の低床型採血装置。
【請求項９】
前記載置台に前記採血を行う部位が載せられると電力供給を開始する制御部をさらに備えている、
請求項１から８のいずれか１項に記載の低床型採血装置。
【請求項１０】
体重測定部および体脂肪測定部の少なくとも一方をさらに備えている、
請求項１から９のいずれか１項に記載の低床型採血装置。
【請求項１１】
前記採血を行う部位は足裏である、
請求項１から１０のいずれか１項に記載の低床型採血装置。
【発明の詳細な説明】
【技術分野】
【０００１】
本発明は、血液や体液を採取するために用いられる採血装置に関する。
【背景技術】
【０００２】
近年、糖尿病患者等が自己の血糖値をコントロールするために行う自己血糖測定に必要な血液を採集するために、専用のランセット（穿刺器具）が用いられている。そして、このようなランセットを用いて穿刺された皮膚の周辺を圧迫したり吸引したりすることで、傷口周辺を鬱血させながら傷口を開いた状態として、傷口から血液を効率よく採取する装置が検討されている（特許文献１〜５参照）。
【０００３】
例えば、特許文献１には、血液サンプルを抜き取る皮膚面に非閉塞開口（傷口）を形成するランセット、非閉塞開口の周辺を真空状態にする真空ポンプ等を備えたランセットデバイスが開示されている。ここでは、非閉塞開口が形成された皮膚をその周辺を真空状態にすることによって伸張させて、非閉塞開口から血液を流出させることにより効率よく血液を採取している。
【０００４】
また、特許文献２には、穿刺手段、穿刺する部位を圧迫する圧迫体等を備えた体液分析装置が開示されている。ここでは、穿刺手段によって形成された皮膚の傷口の周辺を圧迫体によって圧迫することで、傷口から効率よく血液を流出させて血液を採取して分析を行っている。
【特許文献１】特表２００１−５１５３７７号公報（平成１３年９月１８日公表）
【特許文献２】特開２００２−０００５８８号公報（平成１４年１月８日公開）
【特許文献３】特開平０９−０８９８８５号公報（平成９年４月４日公開）
【特許文献４】特開平１０−００５１９９号公報（平成１０年１月１３日公開）
【特許文献５】特開２０００−２３７１７１号公報（平成１２年９月５日公開）
【発明の開示】
【発明が解決しようとする課題】
【０００５】
しかしながら、上記公報に開示された従来の採血装置では、以下に示すような問題点を有している。
【０００６】
すなわち、特許文献１〜５に開示された採血装置では、何れも傷口周辺を鬱血させるために真空ポンプや圧迫体等の部材を用いているため、部品点数が増加して機構の複雑化、装置サイズの拡大、コストアップ等の問題を有している。
【０００７】
本発明の課題は、簡易な構成により、穿刺針で形成した傷口からの出血を促進することが可能な低床型採血装置を提供することにある。
【課題を解決するための手段】
【０００８】
請求項１に記載の低床型採血装置は、載置台と、開口部と、穿刺針とを備えている。載置台は、採血を行う部位を載せる。開口部は、載置台の載置面に形成されている。穿刺針は、開口部の内部に収容されており、開口部に載せられた採血を行う部位に対して傷口を形成する。
【０００９】
従来の採血装置では、穿刺針によって形成された傷口からの効率よく血液を採取するために、真空ポンプによる吸引や圧迫体による圧迫により皮膚を鬱血させて出血を促進させる方法が採用されている。しかし、従来の採血装置では、皮膚を鬱血させるために、真空ポンプや圧迫体等の特別の部材を必要としている。このため、部品点数の増加に伴う、機構の複雑化、コストアップ等の問題が生じていた。
【００１０】
そこで、本発明の低床型採血装置では、採血を行う部位を載せる載置台の載置面に形成された開口内に穿刺針を設け、開口部に採血を行う部位を載せた状態で採血を行う。
【００１１】
これにより、例えば、足裏からの採血を行う場合には、低床型の採血装置であるため体重計のように載置台上に載った状態で足裏から採血を行うことができる。そして、載置台の載置面に形成された開口部に足を載せると足裏には体重がかかっているため、足裏の皮膚が開口部に食い込んで開口部の中に鬱血した状態の皮膚が形成される。このように、載置台に載るだけで自然に足裏の皮膚に鬱血した部分を形成することができるため、この鬱血部分に対して穿刺針を刺して形成される傷口から効率よく血液を流出させることができる。よって、穿刺針を刺した部位を吸引、圧迫する機構を設けたり、穿刺針を刺した部位を被採血者自身が圧迫したりすることなく、簡易な構成で効率よく採血を行うことが可能な採血装置を得ることができる。
【００１２】
請求項２に記載の低床型採血装置は、請求項１に記載の低床型採血装置であって、開口部は、体重をかけて載せられた採血を行う部位を鬱血させる。
【００１３】
ここでは、載置面に形成された開口部に体重をかけた状態で採血を行う部位をのせるだけで、その部位を鬱血させることができる。これにより、この鬱血した部位に穿刺傷を形成することで、血液を搾り出して効率よく採血を行うことができる。
【００１４】
請求項３に記載の低床型採血装置は、請求項１または２に記載の低床型採血装置であって、載置台には、開口部の外周に沿って突出部が形成されている。
【００１５】
ここでは、載置台から突出した突出部に採血部位を載せることで容易に開口部内に鬱血させた採血部位を作ることができる。よって、穿刺された皮膚からの出血をさらに促進することができる。
【００１６】
請求項４に記載の低床型採血装置は、請求項１から３のいずれか１項に記載の低床型採血装置であって、開口部の中であって穿刺針の先端部の近傍に配置されているとともに、採血された血液を検出する検出部をさらに備えている。
【００１７】
ここでは、穿刺針の先端部近傍に血液中の成分を検出する検出部を備えているため、穿刺針によって形成された傷口から流出する血液をすぐに検出部に接触させることができる。よって、傷口から流出する血液を採取して検出部に接触させる動作が不要となり、効率よく血液の分析を行うことができる。
【００１８】
請求項５に記載の低床型採血装置は、請求項４に記載の低床型採血装置であって、穿刺針を内部に収容した穿刺器具に取り付けられており、採血された血液を検出する検出部をさらに備えている。
【００１９】
ここでは、穿刺針を収納する穿刺器具に対して一体的に取り付けられた検出部を備えている。これにより、穿刺針によって形成された傷口から流出する血液を容易に検出部に接触させて分析を行うことができる。
【００２０】
請求項６に記載の低床型採血装置は、請求項１から５のいずれか１項に記載の低床型採血装置であって、穿刺針を待機位置から穿刺位置まで移動させる発射機構をさらに備えている。
【００２１】
ここでは、穿刺針を待機位置から所定の発射位置まで移動させる穿刺針の発射機構を備えている。これにより、開口部上に採血される部位が載せられた状態で穿刺針を発射することにより、採血を行う部位に傷口を形成して採血を行うことができる。
【００２２】
請求項７に記載の低床型採血装置は、請求項６に記載の低床型採血装置であって、開口部上に採血を行う部位が載せられると、発射機構において待機位置において保持された穿刺針の移動を許可する保持解除機構をさらに備えている。
【００２３】
ここでは、載置面に形成された開口部上に採血を行う部位が載せられると発射機構における穿刺針の保持を解除する保持解除機構を備えている。換言すれば、保持解除機構は、載置面に採血される部位が載せられない限り、穿刺針の保持を解除して穿刺針が発射されることを禁止する。
【００２４】
これにより、開口部上に採血される部位が載せられた状態以外では、穿刺針を開口部の奥に保持された状態にすることができる。よって、採血時以外での穿刺針による怪我を防止して、安全性の高い採血装置を得ることができる。
【００２５】
請求項８に記載の低床型採血装置は、請求項１から７のいずれか１項に記載の低床型採血装置であって、穿刺針の採血部位に対する穿刺深さを調整する調整機構をさらに備えている。
【００２６】
ここでは、穿刺針による穿刺深さを調整する調整機構を備えているため、足裏の皮膚の厚さ等に応じて穿刺深さを調整することができる。よって、使用者ごとに最適な穿刺深さに調整して採血を行うことができる。
【００２７】
請求項９に記載の低床型採血装置は、請求項１から８のいずれか１項に記載の低床型採血装置であって、載置台に前記採血を行う部位が載せられると電力供給を開始する電源部をさらに備えている。
【００２８】
ここでは、載置台に採血される部位が載せられたことを条件に電力供給を行う電源部を備えている。これにより、スイッチ等により手動で電源を入れなくても載置台上にのるだけで自動的に電源を入れることができる。また、穿刺針の発射機構等を電気で制御する場合には、電源が供給されない限り穿刺針が発射されることを禁止できる。よって、さらに安全性の高い採血装置を提供できる。
【００２９】
請求項１０に記載の低床型採血装置は、請求項１から９のいずれか１項に記載の低床型採血装置であって、体重測定部および体脂肪測定部の少なくとも一方をさらに備えている。
【００３０】
ここでは、採血装置としての機能に加えて、体重計、体脂肪計としての機能を兼ね備えているため、複数の機能を備えた健康診断器具を提供することができる。
【００３１】
請求項１１に記載の低床型採血装置は、請求項１から１０のいずれか１項に記載の低床型採血装置であって、採血を行う部位は足裏である。
【００３２】
ここでは、載置台に足を載せて足裏から採血を行うため、採血部位である足裏を容易に鬱血した状態とすることができる。また、本発明の採血装置は低床型であるため、容易に載置台に足を載せることができ、採血がしやすい。
【発明の効果】
【００３３】
請求項１に記載の低床型採血装置によれば、載置台に載せるだけで自然に皮膚に鬱血した部分を形成することができ、この鬱血部分に対して穿刺針を刺して形成される傷口からの出血を促進することができる。
【００３４】
請求項２に記載の低床型採血装置によれば、載置面に形成された開口部に体重をかけた状態で採血を行う部位をのせるだけで、その部位を鬱血させて血液を搾り出して効率よく採血を行うことができる。
【００３５】
請求項３に記載の低床型採血装置によれば、穿刺された皮膚からの出血をさらに促進することができる。
【００３６】
請求項４に記載の低床型採血装置によれば、傷口から流出する血液を採取して検出部に接触させる動作が不要となり、効率よく血液の分析を行うことができる。
【００３７】
請求項５に記載の低床型採血装置によれば、穿刺針によって形成された傷口から流出する血液を容易に検出部に接触させて分析を行うことができる。
【００３８】
請求項６に記載の低床型採血装置によれば、口部上に採血される部位が載せられた状態で穿刺針を発射することにより、採血を行う部位に傷口を形成して採血を行うことができる。
【００３９】
請求項７に記載の低床型採血装置によれば、採血時以外での穿刺針による怪我を防止して、安全性の高い採血装置を得ることができる。
【００４０】
請求項８に記載の低床型採血装置によれば、使用者ごとに最適な穿刺深さに調整して採血を行うことができる。
【００４１】
請求項９に記載の低床型採血装置によれば、スイッチ等により手動で電源を入れなくても載置台上にのるだけで自動的に電源を入れることができる。
【００４２】
請求項１０に記載の低床型採血装置によれば、複数の機能を備えた健康診断器具を提供することができる。
【００４３】
請求項１１に記載の低床型採血装置によれば、載置台上に載るだけで採血部位となる足裏を容易に鬱血した状態とすることができる。
【発明を実施するための最良の形態】
【００４４】
本発明の低床型採血装置の一実施形態に係る採血装置１０について、図１〜図５を用いて説明すれば以下の通りである。
【００４５】
［採血装置全体の構成］
本実施形態の採血装置（低床型採血装置）１０は、図１に示すように、採血だけでなく、体重測定や体脂肪測定も行うことが可能な低床型の採血装置である。採血装置１０は、図１および図２に示すように、外観に表された構成として、採血機構１１、体重測定部１２、体脂肪測定部１３、載置台１４、開口部１５および表示部６２等を備えている。
【００４６】
採血機構１１は、採血装置１０における載置台１４の載置面１４ａに形成された開口部１５の内部に穿刺針２０ａを含むランセット（穿刺器具）２０等を備えており、採血を行う部位、例えば、かかと部分の皮膚Ｓｋに対して穿刺傷を形成する。また、採血機構１１は、センサ（検出部）２２を備えており、ランセット２０によって形成された穿刺傷から流出する血液を検出する。なお、採血機構１１の詳しい構成については後段にて詳述する。
【００４７】
体重測定部１２は、載置台１４の下部に設けられたロードセル１２ａ等を備えている（図３参照）。そして、体重測定部１２は、ロードセル１２ａによって載置面１４ａ上にのせられた物体の体重を測定する。
【００４８】
体脂肪測定部１３は、載置台１４の載置面１４ａに露出した２つの電極１３ａ，１３ｂを備えており、載置面１４ａ上に裸足でのった被測定者の生体インピーダンスを測定する。そして、制御部６０（図３参照）が、この生体インピーダンスと、体重測定部１２において測定された体重とに基づいて体脂肪率を算出する。
【００４９】
載置台１４は、足の裏を載せる台となる部分であって、表面に電極１３ａ，１３ｂ、開口部１５、載置台１４にのった人から見て前方側に、測定した体重、体脂肪率、血糖値等を表示する表示部６２を有している。
【００５０】
開口部１５は、載置台１４上に載った人の足裏で覆い被されるような位置、すなわち電極１３ａ，１３ｂが配置されている部分に形成された穴であって、内部に穿刺傷を形成するためのランセット２０を備えている。
【００５１】
また、本実施形態の採血装置１０は、図３に示すように、上述したロードセル１２ａ、電極１３ａ，１３ｂ、センサ２２、表示部６２、および後述する電源部６１、保持解除機構４０と接続された制御部６０を備えている。
【００５２】
［採血機構の構成］
採血機構１１は、図４に示すように、載置面１４ａに形成された開口部１５内に、ランセット２０、ランセット発射機構（発射機構）３０、保持解除機構４０、調整機構５０を備えている。
【００５３】
ランセット２０は、穿刺針２０ａ、ケーシング２１、センサ２２を有している。穿刺針２０ａは、その先端が開口部１５の方を向くように、ケーシング２１の中に取り付けられている。ケーシング２１は、内部に穿刺針２０ａとセンサ２２とを収容しており、先端部に形成された開口２１ａから穿刺針２０ａの先端を突出させる。センサ２２は、血糖値の測定を行うために、血液に含まれるグルコース等を検知する電極を有している。また、センサ２２は、ケーシング２１の上端部に搭載されており、穿刺針２０ａによって形成された穿刺傷から流出する血液を穿刺傷の直下において検出する。
【００５４】
ランセット発射機構３０は、バネ部３１と台座部３２とを有しており、ランセット２０の下方においてランセット２０を支持するように配置されている。そして、バネ部３１のバネ定数とバネの縮み量とに応じた付勢力により、開口部１５内において任意のタイミングで穿刺針２０ａをランセット２０ごと上方に移動させる。
【００５５】
バネ部３１は、２つのバネ３３ａ，３３ｂを有している。また、台座部３２は、ランセット２０の発射方向に対して垂直方向に突出した２つの台座３４ａ，３４ｂを有している。そして、開口部１５内部には、ランセット２０の発射方向に対して垂直な方向に突出する面を有する突出部１５ａ，１５ｂを有している。台座３４ａは、ランセット２０の発射方向側の面（以下、上面と示す）においてランセット２０を下方から支持する。台座３４ｂは、ランセット２０の発射方向とは反対側の面（以下、下面と示す）にバネ３３ｂが取り付けられており、バネ３３ｂの付勢力を受けてランセット２０を発射方向へ移動させる。バネ３３ａは、突出部１５ａにおける下面側に配置されている。突出部１５ａは、ランセット２０の発射方向に対して垂直な方向に突出した面を有している。この突出部１５ａの下面側に配置されたバネ３３ａにより、発射されて上方へ移動したランセット２０に対して反発力を与えてランセット２０を通常位置へ戻す。一方、バネ３３ｂは、台座３４ｂにおけるランセット２０の発射方向とは反対の面側に取り付けられている。そして、バネ３３ｂは、通常時には後述する保持解除機構４０によって台座３４ｂと突出部１５ｂとの間で縮められた状態で保持されており、ランセット２０を発射させる際に台座３４ｂに対して上方向の付勢力を与える。つまり、開口部１５の内部では、載置面１４ａ側（上側）から順に、ランセット２０、台座３４ａ、突出部１５ａ、バネ３３ａ、台座３４ｂ、バネ３３ｂ、突出部１５ｂの順で配置されている。
【００５６】
保持解除機構４０は、ランセット２０の内部における下端部付近で移動不能な状態で保持されているランセット２０のロックを解除する保持解除リンク４１と、保持解除リンク４１を回動可能な状態で開口部１５内に取り付ける回転軸４２とを有している。保持解除リンク４１は、回転軸４２を中心として回動し、通常時には、台座３４ｂの下面側に取り付けられたバネ３３ｂの反発力をためるように、上述した台座３４ｂを下方に移動させたまま保持する。そして、保持解除機構４０は、制御部６０においてランセット２０の発射が許可されると、保持解除リンク４１による台座３４ｂの保持を解除する。これにより、保持解除機構４０によって蓄えられていたバネ３３ｂの付勢力によりランセット２０が上方へ発射されることで、足裏に穿刺傷を形成することができる。なお、保持解除機構４０は、後述する制御部６０と電気的に接続されており、載置面１４ａに形成された開口部１５上に足がのせられたことを検知して、保持解除リンク４１を回動させて穿刺針２０ａの発射を許可する。なお、足が乗せられたことを検知する方法としては、開口部１５付近に赤外線センサ等の検知部を設けて行う方法や、体重測定部１２や体脂肪測定部１３を用いて行う方法がある。
【００５７】
調整機構５０は、ランセット２０によって形成される穿刺傷の穿刺深さを調整する。この穿刺深さの調整は、例えば、台座３４ａに形成されているねじ穴に螺合するよう取り付けられたランセット２０を時計回りあるいはその反対方向に回転させることで行うことができる。これにより、ランセット２０の発射時における台座３４ａの待機位置から発射位置までの移動距離が変わらなくても台座から穿刺針先端までの距離を変えることで、容易に穿刺傷の深さを調整することができる。
【００５８】
制御部６０は、体重測定部１２のロードセル１２ａ、体脂肪測定部１３の電極１３ａ，１３ｂ、センサ２２、保持解除機構４０、電源部６１、表示部６２と電気的に接続されている。そして、制御部６０は、体重測定部１２のロードセル１２ａあるいは体脂肪測定部１３の電極１３ａ，１３ｂにより、載置面１４ａ上に被採血者の足裏がのったことを検知して、電源部６１から表示部６２や保持解除機構４０に対する電力供給を開始させるとともに、保持解除機構４０によるランセット２０の発射を許可する。ロードセル１２ａによる検知は、載置台１４上に物が載せられて重量を検知することで行うことができる。一方、電極１３ａ，１３ｂによる検知は、電極１３ａ，１３ｂによる被測定者の生体インピーダンスの測定が可能になることにより行うことができる。
【００５９】
［採血装置の動作説明］
本実施形態の採血装置１０では、以上のような構成を備えており、以下に示すような動作により、被採血者からの採血を行う。
【００６０】
すなわち、採血装置１０は、採血や体重測定等を行わない通常時には、図４に示すように、保持解除機構４０の保持解除リンク４１がランセット発射機構３０の台座３４ｂ部分を下方へ押さえつけて台座３４ｂと突出部１５ｂとの間でバネ３３ｂを縮めた状態で保持している。
【００６１】
そして、載置台１４上に被採血部位となる足裏がのせられたことを体重測定部１２のロードセル１２ａあるいは体脂肪測定部１３の電極１３ａ，１３ｂが検知すると、制御部６０が電源部６１から各部に対する電力供給を開始させる。このとき、保持解除機構４０における保持解除リンク４１の動作も電気的に制御されているため、ロードセル１２ａあるいは電極１３ａ，１３ｂにおける検知によって、ランセット２０の発射が許可される。
【００６２】
上記検知により保持解除リンク４１が回転軸４２を中心に回動すると、保持解除リンク４１によって下方で保持されているランセット発射機構３０の台座３４ｂは保持が解除され、バネ３３ｂの復元力によって上方へ発射される。このとき、体重がかかった状態で開口部１５上にのっている足裏の皮膚Ｓｋは、図５に示すように、開口部１５に食い込んで鬱血状態となっている。このため、この鬱血した状態の足裏の皮膚Ｓｋに対してランセット２０が穿刺傷を形成することで、穿刺傷の形成後、すぐに穿刺傷から血液を流出させることができる。
【００６３】
本実施形態の採血装置１０では、穿刺針２０ａを含むランセット２０の先端部分に、血液成分として含まれるグルコース等を検出するセンサ２２を有している。このため、上記のようなランセット２０の鬱血した皮膚Ｓｋに対する発射によって形成された穿刺傷から流出する血液を、センサ２２の直上に形成された穿刺傷からセンサ２２に対して滴下させることができる。よって、センサ２２が穿刺後すぐに血液を検出して、グルコース等の量に基づいて血糖値測定を行うことができる。
【００６４】
また、ランセット２０の発射後、上方へ移動したランセット２０は、ランセット２０を支持している台座部３２の一部（台座３４ｂ）が開口部１５内に形成された突出部１５ａの下面側に取り付けられたバネ３３ａに衝突する。そして、この衝突によって縮められたバネ３３ａの復元力によってランセット発射機構３０は元の待機位置まで戻されて、再び保持解除リンク４１によって保持される。
【００６５】
［特徴］
（１）
本実施形態の採血装置１０は、図４に示すように、低床型の採血装置であって、採血を行う部位、例えば足裏等を載せる載置台１４の載置面１４ａに形成された開口部１５の内部に、穿刺針２０ａを備えたランセット２０等を含む採血機構１１を備えている。
【００６６】
通常、ランセットの穿刺針によって穿刺傷を形成した場合、穿刺傷を形成しただけでは血液は少量しか流出せず、検査に必要な血液の量を確保することは困難である。このため、穿刺傷の部分を鬱血させて穿刺傷から血液を流出させるために、穿刺傷部分を真空吸引したり、圧迫したりする方法が採用されている。しかし、このような方法では、真空ポンプや圧迫体等の新たな部品が必要となり、構成の複雑化やコストアップといった問題を生じる。
【００６７】
そこで、本発明の採血装置１０では、採血を行う部位（足裏等）を載せる載置台１４の載置面１４ａに形成された開口部１５内にランセット２０を備えている。
【００６８】
これにより、被採血者が開口部１５上にのると、足裏の一部が開口部１５に落ち込んだ状態となる。このとき、足裏には体重がかかっているため、図５に示すように、開口部１５に落ち込んだ足裏の部分に自然と鬱血した状態を形成することができる。ここで、鬱血した状態の足裏部分に対してランセット２０の穿刺針２０ａによって穿刺傷が形成されると、穿刺傷は鬱血した状態の足裏の一部に含まれるため、穿刺傷から効率よく血液を流出させることができる。よって、真空ポンプや圧迫体等の新たな部品を設けなくても簡易な構成により、形成した穿刺傷からの血液の流出を促進することが可能な低床型の採血装置１０を提供することができる。
【００６９】
（２）
本実施形態の採血装置１０では、足裏から採血を行う。
【００７０】
これにより、載置面１４ａに形成された開口部１５上に立つだけで、図５に示すように、体重がかかった状態の足裏の皮膚が開口部１５に食い込んで開口部１５内に鬱血した部分を容易に形成することができる。このため、真空ポンプ等の部品を設けることなく、穿刺傷からの流血を促進することができる。また、本実施形態の採血装置１０は、図１に示すように、一般的な体重計様の低床型であるため、足裏から採血を行う場合でも載置面１４ａ上にのりやすいというメリットがある。
【００７１】
（３）
本実施形態の採血装置１０では、図４に示すように、足裏に穿刺傷を形成する穿刺針２０ａを備えたランセット２０の先端部分に、穿刺傷から流出する血液を検出するセンサ２２を備えている。
【００７２】
これにより、穿刺針２０ａによって形成された穿刺傷から流出する血液を、ランセット２０の先端部分に取り付けられたセンサ２２によって、穿刺傷を形成後すぐに検出することができる。
【００７３】
また、本実施形態のようにランセット２０と一体化されたセンサ２２を用いることで、穿刺傷から流出する血液をセンサ２２に接触させることが容易になる。
【００７４】
（４）
本実施形態の採血装置１０では、図４に示すように、ランセット２０において穿刺針２０ａを任意のタイミングで足裏に対して発射させるランセット発射機構３０を備えている。
【００７５】
これにより、載置面１４ａに形成された開口部１５上にのって鬱血した被採血者の足裏に対して穿刺針２０ａを発射することで、形成された穿刺傷から効率よく血液を採取することができる。
【００７６】
（５）
本実施形態の採血装置１０では、図４に示すように、ランセット発射機構３０の近傍に、開口部１５上に足裏がのったことを検知してランセット２０における穿刺針２０ａの発射を許可する保持解除機構４０を備えている。
【００７７】
このように、保持解除機構４０が、開口部１５上に採血を行う部位がのせられた状態でのみランセット２０における穿刺針２０ａの発射を許可することで、誤って穿刺針２０ａの先端が開口部１５から飛び出すことを防止できる。よって、安全性の高い採血装置１０を提供できる。
【００７８】
（６）
本実施形態の採血装置１０では、図４に示すように、開口部１５におけるランセット２０における穿刺針２０ａの突出量を調整する調整機構５０を備えている。
【００７９】
これにより、ランセット２０における穿刺針２０ａの突出量を、被採血者に応じて最適な穿刺深さになるように調整することができる。
【００８０】
（７）
本実施形態の採血装置１０では、図３に示すように、被測定部位が載置台１４上にのせられたことを検知して電源をＯＮする制御部６０を備えている。
【００８１】
これにより、載置台１４上に被採血部位をのせると自動的に電源を入れることができる。そして、ランセット発射機構３０を電気的に制御している場合には、載置台１４上に被採血部位がのせられない限り、ランセット２０において穿刺針２０ａが発射されることを防止できる。
【００８２】
（８）
本実施形態の採血装置１０では、図１および図２に示すように、採血機構１１に加えて、体重測定部１２、体脂肪測定部１３を備えている。
【００８３】
これにより、採血以外にも、体重測定や体脂肪測定を行うことができ、複数の機能を備えた総合的な健康診断器具として本発明の低床型採血装置を提供することができる。
【００８４】
［他の実施形態］
以上、本発明の一実施形態について説明したが、本発明は上記実施形態に限定されるものではなく、発明の要旨を逸脱しない範囲で種々の変更が可能である。
【００８５】
（Ａ）
上記実施形態では、足裏から採血を行う例を挙げて説明した。しかし、本発明は採血を行う部位を足裏だけに限定するものではない。
【００８６】
例えば、背中や尻等から採血を行うことも可能である。ただし、本発明の低床型の採血装置１０では、載置面１４ａに形成された開口部１５に体重をかけながら採血を行う部位を載せるだけで開口部１５内に鬱血した皮膚の部分を形成することができるというものである。これにより、採血を行う部位としては、体重をかけた状態で載置面１４ａ上に載ることが可能な部位であることが好ましい。
【００８７】
なお、背中や尻からの採血は、例えば、起き上がることが困難で寝たままの状態で採血を行う必要がある病人や負傷者等の採血に適用することが好ましい。
【００８８】
また、採血を行う部位として指を用いてもよい。ただし、この場合には、穿刺傷を形成する部分を鬱血させる必要があるため、指を開口部１５にあてた状態で指に体重をかける必要がある。
【００８９】
よって、本低床型採血装置は、洋式便器、椅子、ベッド、血圧計等に適用することも可能である。
【００９０】
（Ｂ）
上記実施形態では、載置面１４ａに単に開口部１５が形成されている例を挙げて説明した。しかし、本発明はこれに限定されるものではない。
【００９１】
例えば、図６に示すように、開口部１５の外周部に沿ってリブ１５ｃを形成してもよい。この場合には、穿刺傷を形成する足裏の皮膚がリブ１５ｃに食い込んで、さらに開口部１５内に鬱血した状態を形成しやすくなるとともに、図６に矢印で示したように、形成した穿刺傷を開いた状態にすることができる。このため、開口部１５内に設置されたランセット２０によって形成された穿刺傷からの流血をさらに促進することができる。
【００９２】
また、皮膚Ｓｋを鬱血させるリブ１５ｃは、図６に示すように、開口部１５の周辺に形成されていてもよいが、図８に示すように、載置面１４ａから露出した突出部１６を足裏で踏むことで梃子の原理により載置面１４ａからリブ１５ｃを露出させて皮膚Ｓｋを鬱血させる機構であってもよい。
【００９３】
（Ｃ）
上記実施形態では、載置面１４ａ上に被採血者の足裏がのったことを検知する手段として、体重測定部１２のロードセル１２ａ、体脂肪測定部１３の電極１３ａ，１３ｂを用いる例を挙げて説明した。しかし、本発明はこれに限定されるものではない。
【００９４】
例えば、開口部１５の上端部付近に被採血部位である足裏がのせられたことを検知する赤外線センサ等を別途設けてもよい。
【００９５】
（Ｄ）
上記実施形態では、ランセット２０によって形成した穿刺傷から流出する血液を用いて、血糖値の測定を行う例を挙げて説明した。しかし、本発明はこれに限定されるものではない。
【００９６】
例えば、血糖値測定以外にも、穿刺傷から流出する血液や体液の成分を検出して、様々な検査、測定を行うことが可能である。
【００９７】
（Ｅ）
上記実施形態では、保持解除機構４０によるランセット２０の保持を、図３に示す制御部６０によって電気的に制御している例を挙げて説明した。しかし、本発明はこれに限定されるものではない。
【００９８】
例えば、図７に示すように、載置面１４ａから突出した踏み込み部（保持解除機構）４３を設け、踏み込み部４３を足裏で踏むことで機械的に接続されたアーム４４によって保持解除リンク４１を回動させてランセット２０の保持を解除する機構であってもよい。
【産業上の利用可能性】
【００９９】
本発明の低床型採血装置は、簡易な構成により穿刺針によって形成された傷口からの出血を促進して効率よく穿刺傷から流出する血液を採取できるという効果を奏することから、血液や体液等の分析装置に広く適用可能である。
【図面の簡単な説明】
【０１００】
【図１】本発明の一実施形態に係る低床型採血装置を示す外観図。
【図２】図１の低床型採血装置の側断面図。
【図３】図１の低床型採血装置が備えている制御部周辺の構成を示す断面図。
【図４】図１の低床型採血装置の開口部付近の内部構成を示す拡大図。
【図５】図１の低床型採血装置による穿刺前の状態を示す拡大図。
【図６】本発明の低床型採血装置の他の実施形態に係る採血装置の開口部付近の構成を示す拡大図。
【図７】本発明の低床型採血装置の他の実施形態に係る採血装置が備えている保持解除機構を示す概略図。
【図８】本発明の低床型採血装置のさらに他の実施形態に係る採血装置が備えている機構を示す概略図。
【符号の説明】
【０１０１】
１０            採血装置（低床型採血装置）
１１            採血機構
１２            体重測定部
１２ａ          ロードセル
１３            体脂肪測定部
１３ａ，１３ｂ  電極
１４            載置台
１４ａ          載置面
１５            開口部
１５ａ・１５ｂ  突出部
１５ｃ          リブ（突起部）
１６            突出部
２０            ランセット
２０ａ          穿刺針
２１            ケーシング
２１ａ          開口
２２            センサ（検出部）
３０            ランセット発射機構（発射機構）
３１            バネ部
３２            台座部
３３ａ，３３ｂ  バネ
３４ａ，３４ｂ  台座
４０            保持解除機構
４１            保持解除リンク
４２            回転軸
４３            踏み込み部（保持解除機構）
４４            アーム部
５０            調整機構
６０            制御部
６１            電源部
６２            表示部
Ｓｋ            皮膚
【図１】
2005304923.tif 000003
【図２】
2005304923.tif 000004
【図３】
2005304923.tif 000005
【図４】
2005304923.tif 000006
【図５】
2005304923.tif 000007
【図６】
2005304923.tif 000008
【図７】
2005304923.tif 000009
【図８】
2005304923.tif 000010